(57)【要約】【課題】屋上緑化の緑化面積を減少させず、駐車場の緑化用植物が枯れにくい地表面または屋上の緑化システムを提供する。【解決手段】地表面または屋上に緑化植物１０が植栽され、その緑化植物１０が植栽された領域またはその近傍の所定の位置に、支持脚ベース１２が設置され、支持脚ベース１２には、支持部１８を有する支持脚本体１６が取り付けられる。緑化植物１０の上には、支持部１８に支持されたグレーチング部材２０が渡され、グレーチング部材２０の上で適宜作業や自動車の駐車等ができるので、緑化植物１０が植栽された領域を有効利用することができる。【選択図】        図１
2004324174.tif 000002
【特許請求の範囲】
【請求項１】
地表面または屋上に植栽された緑化植物と、
前記緑化植物が植栽された領域またはその近傍の所定の位置に設置される支持脚ベースと、
前記支持脚ベースに取り付けられ、支持部を有する支持脚本体と、
前記支持部に支持されて前記地表面または屋上に植栽された緑化植物上に渡されるグレーチング部材と、
を備えることを特徴とする地表面または屋上の緑化システム。
【請求項２】
請求項１記載の地表面または屋上の緑化システムにおいて、前記グレーチング部材の高さを変更するための高さ変更手段がさらに備えられていることを特徴とする地表面または屋上の緑化システム。
【請求項３】
請求項２記載の地表面または屋上の緑化システムにおいて、前記高さ変更手段は、前記支持脚ベースと前記支持脚本体との間に配置され、前記支持脚ベースと前記支持脚本体とにより形成された支柱の長さを長くする追加支柱であることを特徴とする地表面または屋上の緑化システム。
【請求項４】
請求項３記載の地表面または屋上の緑化システムにおいて、前記支持脚ベースには突起部が形成され、前記支持脚本体には、前記突起部が挿入される凹部が形成され、前記追加支柱は、前記支持脚ベースに形成された突起部が挿入される凹部と、前記支持脚本体に形成された凹部に挿入される突起部とを有することを特徴とする地表面または屋上の緑化システム。
【請求項５】
請求項２記載の地表面または屋上の緑化システムにおいて、前記高さ変更手段は、前記支持脚ベースと前記支持脚本体との間に配置されるジャッキ手段であることを特徴とする地表面または屋上の緑化システム。
【発明の詳細な説明】
【０００１】
【発明の属する技術分野】
本発明は、地表面または屋上に緑化植物を植栽し、緑化するための地表面または屋上の緑化システムの改良に関する。
【０００２】
【従来の技術】
近年、都市構造の高層化と稠密化に伴い建築物の屋上、壁面等の人工地盤の緑化が都市緑化空間形成の重要因子になりつつある。上記緑化は、大気浄化、乾燥防止、温暖化防止、ヒートアイランド現象の緩和など地球温暖化防止への寄与が大きいことが認識されている。また、屋上、壁面等を緑化することにより、建築物の冷暖房効率も向上できる。図６には、緑化工事を施工した屋上の平面図が示される。図６において、建築物の屋上１００の上面には、適宜な植物を植栽した緑化領域１０２が形成されている。このような屋上緑化に関する技術として、例えば特許文献１に屋上緑化システムが開示されている。
【０００３】
また、従来の駐車場は、地表面がコンクリートやアスファルトで舗装されたものまたは砕石などを敷き詰めたものが多く、上記地球温暖化防止、景観の向上等の観点から、駐車場の緑化の必要性も高まっている。図７には、駐車場の緑化を行う場合の例が示される。図７において、駐車場である地表面には、コンクリート製または樹脂製の立体構造物１０４が格子状に組まれており、立体構造物１０４の目合１０６には土が充填され、芝１０８が植栽されている。このような駐車場の緑化に関する技術が、例えば特許文献２に開示されている。
【０００４】
【特許文献１】特開２００３−３３１１２号公報
【０００５】
【特許文献２】特開平５−９９０３号公報
【０００６】
【発明が解決しようとする課題】
しかし、上記従来の屋上緑化技術においては、図６に示されるように、植物の世話、鑑賞または屋上の散歩等のために、屋上の周囲または植物が植栽された領域の一部に通路１１０を形成する必要がある。この通路１１０の部分には緑化植物を植栽できず、その分緑化面積が減少するので、屋上緑化の効果すなわち大気浄化、乾燥防止、温暖化防止、ヒートアイランド現象の緩和及び建築物の冷暖房効率の向上も通路面積分低下するという問題があった。
【０００７】
また、上記従来の駐車場の緑化の場合には、図７に示された立体構造物１０４の上を自動車のタイヤが通過する際、目合１０６に植栽された芝１０８が痛められ、やがて枯れてしまうという問題があった。
【０００８】
本発明は、上記従来の課題に鑑みなされたものであり、その目的は、屋上緑化の緑化面積を減少させず、駐車場の緑化用植物が枯れにくい地表面または屋上の緑化システムを提供することにある。
【０００９】
【課題を解決するための手段】
上記目的を達成するために、本発明は、地表面または屋上の緑化システムであって、地表面または屋上に植栽された緑化植物と、緑化植物が植栽された領域またはその近傍の所定の位置に設置される支持脚ベースと、支持脚ベースに取り付けられ、支持部を有する支持脚本体と、支持部に支持されて地表面または屋上に植栽された緑化植物上に渡されるグレーチング部材と、を備えることを特徴とする。
【００１０】
上記構成によれば、緑化植物上に、支持部により支持されたグレーチング部材が渡されるので、屋上全面に緑化植物を植栽しても、屋上面を自由に往来することができる。また、駐車場の場合にも、グレーチング部材の上を自動車のタイヤが通過するので、緑化植物を痛めることを防止できる。
【００１１】
また、上記地表面または屋上の緑化システムにおいて、グレーチング部材の高さを変更するための高さ変更手段がさらに備えられていることを特徴とする。
【００１２】
上記構成によれば、支持脚本体の高さを変更するための高さ変更手段により、グレーチング部材の高さを緑化植物の背丈に応じて変更できるので、様々な植物を使用できる。
【００１３】
また、上記地表面または屋上の緑化システムにおいて、高さ変更手段は、支持脚ベースと支持脚本体との間に配置され、支持脚ベースと支持脚本体とにより形成された支柱の長さを長くする追加支柱であることを特徴とする。また、上記支持脚ベースには突起部が形成され、支持脚本体には、突起部が挿入される凹部が形成され、追加支柱は、支持脚ベースに形成された突起部が挿入される凹部と、支持脚本体に形成された凹部に挿入される突起部とを有することを特徴とする。
【００１４】
また、高さ変更手段は、追加支柱に代わって、支持脚ベースと支持脚本体との間に配置されるジャッキ手段であってもよい。
【００１５】
上記各構成によれば、グレーチング部材の高さを容易に変更することができる。
【００１６】
【発明の実施の形態】
以下、本発明の実施の形態（以下実施形態という）を、図面に従って説明する。
【００１７】
図１には、本発明にかかる地表面または屋上の緑化システムのうち、屋上の緑化システムの実施形態の部分断面図が示される。図１において、屋上には緑化植物１０が適宜な方法で植栽されており、屋上の緑化植物１０が植栽された領域またはその近傍の所定の位置には、支持脚ベース１２が設置されている。支持脚ベース１２には、追加支柱１４を介して支持脚本体１６が取り付けられている。この支持脚本体１６は支持部１８を有しており、支持部１８の上には屋上に植栽された緑化植物１０の上に渡されるグレーチング部材２０が載置され、支持されている。グレーチング部材２０としては、上に人や車両が乗っても変形、破損しないだけの強度を有しており、かつその下に位置する緑化植物１０に、生育に必要なだけの太陽光が当たる間隙を有しているものであれば限定されない。例えば、開口部に施蓋するため等に使用される格子構造を有する通常のグレーチング、あるいはパンチングメタル等を使用することができる。また、グレーチング部材２０の材料は、金属に限らず、強化プラスチック等も使用できる。
【００１８】
図２には、上記支持脚ベース１２、追加支柱１４、支持脚本体１６及び支持部１８とこれに支持されるグレーチング部材２０の説明図が示される。図２において、支持脚ベース１２には突起部２２が形成され、支持脚本体１６には、突起部２２が挿入される凹部２４が形成されている。これらの支持脚ベース１２と支持脚本体１６との間には、支持脚ベース１２と支持脚本体１６とにより形成される支柱２６（図１参照）の長さを長くする追加支柱１４を配置することもできる。追加支柱１４は、支持脚ベース１２に形成された突起部２２が挿入される凹部２８と、支持脚本体１６に形成された凹部２４に挿入される突起部３０とを有しており、突起部２２を凹部２８に、突起部３０を凹部２４にそれぞれ挿入することにより支持脚ベース１２と支持脚本体１６とに接続され、支柱２６の長さを長くできるように構成されている。この追加支柱１４が、本発明にかかる高さ変更手段に相当する。様々な長さを有する追加支柱１４を用意しておけば、これらの追加支柱１４を支持脚ベース１２と支持脚本体１６との間に配置しまたは取り外すことにより、支柱２６の長さを調節できる。これにより、支持脚本体１６の支持部１８に支持されるグレーチング部材２０の高さを、緑化植物１０の背丈に応じて調節することができる。従って、グレーチング部材２０の上まで緑化植物１０が延びることを回避でき、グレーチング部材２０の上を人が歩いても、緑化植物１０を踏みつけて枯らすことを防止できる。このため、緑化植物１０として様々な植物を使用することができる。
【００１９】
また、グレーチング部材２０を支持部１８に支持する際には、支持部１８に穴３２をあけておき、同様な穴を有する留め具３４をグレーチング部材２０に架け、支持部１８と留め具３４との穴にボルト３６を通してナット３８で固定するのが好適である。
【００２０】
図３には、本発明にかかる高さ変更手段の変形例が示される。図３において、支持脚ベース１２と支持部１８を有する支持脚本体１６との間には、高さ変更手段としてのジャッキ手段４０が配置されている。この場合、ジャッキ手段４０のロッドが支持脚本体１６となっている。このジャッキ手段４０は、回転軸４２を図示しないクランク棒等で回転させ、内部のギア機構または油圧機構等により支持脚本体１６であるロッドを上下させる構成となっている。
【００２１】
このように、高さ変更手段をジャッキ手段４０で構成することにより、支持部１８に支持されたグレーチング部材２０の高さを連続的に変更することができ、グレーチング部材２０の高さを容易にかつより精密に調整することができる。
【００２２】
図４には、建築物の屋上１００の全面に緑化植物１０を植栽し、その緑化植物１０の上にグレーチング部材２０を渡した場合の説明図が示される。グレーチング部材２０は、屋上１００のうち、人または車両等が移動するために必要な部分に設置すればよい。図４に示された例では、グレーチング部材２０は屋上１００の一部に設置されているが、屋上１００の全面にグレーチング部材２０を設置してもよい。この場合、支持部１８は、グレーチング部材２０を支持するために必要な位置に設ける必要があるので、前述した支持脚ベース１２が設置される所定の位置とは、この支持部１８の配置によって適宜決定される。従って、この所定の位置としては、屋上の緑化植物１０が植栽された領域の中に設定される場合もあるし、緑化植物１０が植栽された領域の周囲の近傍に設定される場合もある。
【００２３】
このように、グレーチング部材２０を緑化植物１０の上に渡すことにより、グレーチング部材２０の上で作業や散歩等を行うことができ、緑化植物１０を植栽した場所も有効に使用することができる。このため、屋上１００に通路スペースを確保する必要がなく、屋上１００の全面の緑化も可能になるので、屋上緑化の緑化面積の減少を回避できる。
【００２４】
次に、図１に戻って、屋上を緑化するための緑化植物１０の植栽方法の例を説明する。建築物の屋上の人工地盤を形成するコンクリートスラブ４４に遮水若しくは透水シート４６を貼着し、この上に、排水マット４８、防根シート５０及び植生マット５２がこの順序で積層されている。植生マット５２は、繊維間隙を有する合成繊維ないしココナッツ繊維を不織布状に堆積形成した薄層板状の基盤マット５４の最上層と最下層に、その表裏より、バークとココピートを含む植栽土壌５６を摺込み、該マットを形成する繊維間隙に充填しマットと一体に構成したものである。そして、植生マット５２の最下層には粒度の粗い植栽土壌を充填し、最上層には粒度の細かい粉状植栽土壌を充填するとともに、充填量は最下層が密に、最上層が粗になるよう密度勾配を持たせ、最上層に緑化植物１０を植栽し、中間層に排水部を形成させ、最下層に保水部を形成させるようにしてある。緑化植物１０としては、植生マット５２に、播種または苗播により、例えばセダム類、蘚苔類、牧草、ハーブを含む背丈の低い多年草の組み合わせからなる植物を植栽したものを使用できる。また、排水マット４８、防根シート５０及び植生マット５２は、固定部材５８によりコンクリートスラブ４４に固定される。この固定部材５８は、爪付押さえ板６０により植生マット５２を押圧し、柱状部材６２、ベース部６４を介してコンクリートスラブ４４に固定される。
【００２５】
図１に示された例では、支持脚ベース１２の下に遮水若しくは透水シート４６を敷かず、コンクリートスラブ４４の上に直接支持脚ベース１２を設置しているが、支持脚ベース１２を遮水若しくは透水シート４６の上に設置してもよい。
【００２６】
なお、緑化植物１０の植栽方法としては上述したものに限られず、屋上に緑化植物１０を植栽できるものであれば、いずれも本発明に適用可能である。また、緑化植物１０も、上記セダム類、蘚苔類、牧草、ハーブを含む背丈の低い多年草の組み合わせに限らず、適宜な植物を使用できる。
【００２７】
図５には、本発明にかかる地表面または屋上の緑化システムのうち、地表面の緑化システムの実施形態の部分断面図が示され、図１と同一要素には同一符号を付している。図５において、地表面６６には緑化植物１０としての芝が直接すなわち植生マット５２等を使用せずに植栽されており、緑化植物１０が植栽された領域またはその近傍の所定の位置には、支持脚ベース１２が設置されている。本実施形態では、芝の背丈が低い例であるので、支柱２６は支持脚ベース１２と支持脚本体１６とにより形成され、追加支柱１６は使用されていない。これにより、支持部１８により支持されるグレーチング部材２０の高さを、背丈の低い芝に合わせることができる。なお、背丈の高い植物を使用する場合には、図１と同様に、追加支柱１６によりグレーチング部材２０の高さを高くすればよい。
【００２８】
本実施形態においても、グレーチング部材２０の高さを調節することにより、グレーチング部材２０の上まで緑化植物１０としての芝が伸びることを回避でき、グレーチング部材２０の上を人が歩いたり、車両が通過しても、芝を踏みつけて枯らすことを防止できる。このため、本実施形態にかかる地表面の緑化システムにより、芝の枯れにくい駐車場の緑化を実現できる。なお、グレーチング部材２０を芝の上に渡す場所は、自動車を駐車する場所のみとしてもよいし、駐車場の全面としてもよい。当該駐車場ごとに適宜決定することができる。
【００２９】
緑化植物１０としては、上述した芝に限られず、例えば図１に示された植生マット５２に、播種または苗播により、セダム類、蘚苔類、牧草、ハーブを含む背丈の低い多年草の組み合わせからなる植物を植栽したもの、その他を使用することもできる。
【００３０】
【発明の効果】
以上説明したように、本発明によれば、緑化植物上に、支持部により支持されたグレーチング部材が渡されるので、緑化植物を植栽した屋上面の上を自由に往来することができる。これにより、植物の世話、鑑賞または屋上の散歩等のための通路を屋上面に形成する必要がなくなり、屋上全面を緑化することができる。従って、屋上緑化の緑化面積を減少させず、大気浄化、乾燥防止、温暖化防止、ヒートアイランド現象の緩和など地球温暖化防止及び建築物の冷暖房効率の改善等の屋上緑化の効果をより向上させることができる。
【００３１】
また、駐車場の緑化の場合にも、グレーチング部材の上を自動車のタイヤが通過するので、緑化植物を痛めることを防止できる。これにより、緑化用植物が枯れにくい駐車場の緑化を実現できる。
【００３２】
また、支持脚本体の高さを変更するための高さ変更手段により、グレーチング部材の高さを緑化植物の背丈に応じて変更できるので、様々な植物を使用できる。  また、高さ変更手段として追加支柱またはジャッキ手段を使用することにより、グレーチング部材の高さを容易に変更することができる。
【図面の簡単な説明】
【図１】本発明にかかる屋上の緑化システムの実施形態の部分断面図である。
【図２】支持脚ベース、追加支柱、支持脚本体及び支持部とこれに支持されるグレーチング部材の説明図である。
【図３】本発明にかかる高さ変更手段の変形例を示す図である。
【図４】建築物の屋上全面に緑化植物を植栽し、その緑化植物の上にグレーチング部材を渡した場合の説明図である。
【図５】本発明にかかる地表面の緑化システムの実施形態の部分断面図である。
【図６】従来における緑化工事を施工した屋上の平面図である。
【図７】従来における駐車場の緑化を行う場合の説明図である。
【符号の説明】
１０  緑化植物、１２  支持脚ベース、１４  追加支柱、１６  支持脚本体、１８  支持部、２０  グレーチング部材、２２，３０  突起部、２４，２８  凹部、２６  支柱、３２  穴、３４  留め具、３６  ボルト、３８  ナット、
４０  ジャッキ手段、４２  回転軸、４４  コンクリートスラブ、４６  遮水若しくは透水シート、４８  排水マット、５０  防根シート、５２  植生マット、５４  基盤マット、５６  植栽土壌、５８  固定部材、６０  爪付押さえ板、
６２  柱状部材、６４  ベース部、６６  地表面、１００  屋上、１０２  緑化領域、１０４  立体構造物  １０８  芝。
【図１】
2004324174.tif 000003
【図２】
2004324174.tif 000004
【図３】
2004324174.tif 000005
【図４】
2004324174.tif 000006
【図５】
2004324174.tif 000007
【図６】
2004324174.tif 000008
【図７】
2004324174.tif 000009